(57)【要約】【課題】無線通信システムで重畳コーディングを用いて一つ以上のデータストリームを転送する方法を提供する。【解決手段】この方法は、二つ以上の接続端末（ａｃｃｅｓｓ  ｔｅｒｍｉｎａｌ；ＡＴ）からフィードバック情報を受信し、フィードバック情報に基づいて二つ以上のＡＴを第１ＡＴまたは第２ＡＴとして割り当て、一つ以上の入力されたデータストリームをチャネルコーディング及び階層化された変調をし、第１ＡＴ及び第２ＡＴのシンボルに割り当てられた無線資源を用いて第１ＡＴ及び第２ＡＴのうち一つ以上にシンボルを転送する。これにより、無線通信システムの信号がより効率的でより確実に使用者に伝達される。【選択図】図５
2009545193.tif 000002
【特許請求の範囲】
【請求項１】
無線通信システムで重畳コーディング（ｓｕｐｅｒｐｏｓｉｔｉｏｎ  ｃｏｄｉｎｇも；ＳＰＣ）を用いて一つ以上のデータストリームを転送する方法であって、
二つ以上の接続端末（ａｃｃｅｓｓ  ｔｅｒｍｉｎａｌ；ＡＴ）からフィードバック情報を受信する段階と、
前記フィードバック情報に基づいて前記二つ以上のＡＴを第１ＡＴまたは第２ＡＴとして割り当てる段階と、
チャネルコーディング技法を用いて前記一つ以上の入力されたデータストリームをチャネルコーディングする段階と、
階層化された（ｌａｙｅｒｅｄ）変調技法を用いて前記一つ以上のデータストリームを変調する段階と、
前記第１ＡＴ及び前記第２ＡＴのシンボルに無線資源を割り当てる段階と、
前記割り当てられた無線資源によって前記第１ＡＴ及び前記第２ＡＴのうち一つ以上に前記シンボルを転送する段階と、
を含み、
前記第１ＡＴは、前記第２ＡＴよりも小さい経路損失を有し、前記第２ＡＴは前記第１ＡＴよりも大きい経路損失を有することを特徴とするデータ転送方法。
【請求項２】
任意の与えられた時間で支援すべき最大ＡＴの個数を構成する段階をさらに含むことを特徴とする、請求項１に記載のデータ転送方法。
【請求項３】
前記無線資源が、転送電力レベル及びチャネル化コードを含むことを特徴とする、請求項１に記載のデータ転送方法。
【請求項４】
前記転送電力レベルが各階層に対して固定されることを特徴とする、請求項３に記載のデータ転送方法。
【請求項５】
前記第１ＡＴの前記転送電力レベルが、前記第２ＡＴの転送電力レベルよりも特定の量だけ小さいことを特徴とする、請求項４に記載のデータ転送方法。
【請求項６】
前記転送電力レベルが各階層に提供されることを特徴とする、請求項３に記載のデータ転送方法。
【請求項７】
前記二つ以上のＡＴが同一セルまたはセクターに位置することを特徴とする、請求項１に記載のデータ転送方法。
【請求項８】
前記無線通信システムが、ＣＤＭＡ２０００（Ｃｏｄｅ  ｄｉｖｉｓｉｏｎ  ｍｕｌｔｉｐｌｅ  ａｃｃｅｓｓ  ２０００）システム、ＧＳＭ（Ｇｌｏｂａｌ  ｓｙｓｔｅｍ  ｆｏｒ  ｍｏｂｉｌｅ  ｃｏｍｍｕｎｉｃａｔｉｏｎｓ）システム、ＷＣＤＭＡ（ｗｉｄｅｂａｎｄ  ＣＤＭＡ）システム、ＨＳＤＰＡ（ｈｉｇｈ  ｓｐｅｅｄ  ｄｏｗｎｌｉｎｋ  ｐａｃｋｅｔ  ａｃｃｅｓｓ）システム、ＷｉＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）システム、ＥＶ−ＤＯ（ｅｖｏｌｕｔｉｏｎ−ｄａｔａ  ｏｐｔｉｍｉｚｅｄ）システム、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）システム、ＯＦＤＭＡ（ＯＦＤＭ  ａｃｃｅｓｓ）システム及びＣＤＭ（ｃｏｄｅ  ｄｉｖｉｓｉｏｎ  ｍｕｌｔｉｐｌｅｘｉｎｇ）システムのうち少なくとも一つに該当することを特徴とする、請求項１に記載のデータ転送方法。
【請求項９】
前記ＡＴが、チャネル品質情報（ｃｈａｎｎｅｌ  ｑｕａｌｉｔｙ  ｉｎｆｏｒｍａｔｉｏｎ；ＣＱＩ）、データレート制御（ｄａｔａ  ｒａｔｅ  ｃｏｎｔｒｏｌ；ＤＲＣ）または移動平均（ｍｏｖｉｎｇ  ａｖｅｒａｇｅ）のうち、少なくとも一つの前記フィードバック情報に基づいて割り当てられることを特徴とする、請求項１に記載のデータ転送方法。
【請求項１０】
前記ＡＴが、前記フィードバック情報が所定の臨界値よりも小さいか同一な値を示すと、前記第１ＡＴとして割り当てられることを特徴とする、請求項９に記載のデータ転送方法。
【請求項１１】
前記ＡＴが、前記フィードバック情報が所定の臨界値よりも大きい値を示すと、前記第２ＡＴとして割り当てられることを特徴とする、請求項９に記載のデータ転送方法。
【請求項１２】
前記階層変調技法が、ＰＳＫ（Ｐｈａｓｅ  ｓｈｉｆｔ  ｋｅｙｉｎｇ）及び回転された（ｒｏｔａｔｅｄ）ＰＳＫ、異なる振幅を有するＱＡＭ（Ｑｕａｄｒａｔｕｒｅ  ａｍｐｌｉｔｕｄｅ  ｍｏｄｕｌａｔｉｏｎ）、ＱＰＳＫ（Ｑｕａｄｒａｔｕｒｅ  ＰＳＫ）及び１６ＱＡＭ、ＱＰＳＫ及び６４ＱＡＭ、ＧＭＳＫ（Ｇａｕｓｓｉａｎ  ｍｉｎｉｍｕｍ  ｓｈｉｆｔ  ｋｅｙｉｎｇ）及びＰＳＫ、及び、ＧＭＳＫ及びＱＡＭを含むことを特徴とする、請求項１に記載のデータ転送方法。
【請求項１４】
前記チャネルコーディング技法が、ターボコーディング、畳み込みコーディングまたはリード・ソロモン（Ｒｅｅｄ−Ｓｏｌｏｍｏｎ；ＲＳ）コーディングのうち少なくとも一つを含むことを特徴とする、請求項１に記載のデータ転送方法。
【請求項１５】
無線通信システムで重畳コーディング（ＳＰＣ）を用いて一つ以上のデータストリームを転送する方法であって、
第１ＡＴ及び第２ＡＴのデータ部分が重なると、前記一つ以上のデータストリームの一つ以上のデータ部分または前記一つ以上のデータストリームのプリアンブルを階層変調（ｌａｙｅｒ  ｍｏｄｕｌａｔｉｏｎ）する段階と、
前記第１ＡＴ及び前記第２ＡＴのうち一つ以上にシンボルを転送する段階と、
を含み、
前記第１ＡＴは前記第２ＡＴよりも小さい経路損失を有し、前記第２ＡＴは前記第１ＡＴよりも大きい経路損失を有することを特徴とするデータ転送方法。
【請求項１６】
二つ以上のＡＴからフィードバック情報を受信する段階と、
前記フィードバック情報に基づいて前記二つ以上のＡＴを前記第１ＡＴまたは前記第２ＡＴとして割り当てる段階と、
をさらに含むことを特徴とする、請求項１５に記載のデータ転送方法。
【請求項１７】
前記第１ＡＴ及び前記第２ＡＴに対するシンボルに、長さ１６のウォルシュコードが適用されることを特徴とする、請求項１５に記載のデータ転送方法。
【請求項１８】
前記第１ＡＴ及び前記第２ＡＴのシンボルに無線資源を割り当てる段階をさらに含み、
前記無線資源がチャネル化コード及び転送電力レベルを含むことを特徴とする、請求項１５に記載のデータ転送方法。
【請求項１９】
前記シンボルの前記転送のための転送電力レベルが固定されたことを特徴とする、請求項１８に記載のデータ転送方法。
【請求項２０】
前記第１ＡＴ及び前記第２ＡＴが、データレート制御（ｄａｔａ  ｒａｔｅ  ｃｏｎｔｒｏｌ；ＤＲＣ）に基づいてスケジューリングされることを特徴とする、請求項１５に記載のデータ転送方法。
【請求項２１】
直交周波数分割多重化（Ｏｒｔｈｏｇｏｎａｌ  ｆｒｅｑｕｅｎｃｙ  ｄｉｖｉｓｉｏｎ  ｍｕｌｔｉｐｌｅｘｉｎｇ；ＯＦＤＭ）システムで重畳コーディング（ｓｕｐｅｒｐｏｓｉｔｉｏｎ  ｃｏｄｉｎｇ；ＳＰＣ）を用いて一つ以上のデータストリームを転送する方法であって、
二つ以上の接続端末（ａｃｃｅｓｓ  ｔｅｒｍｉｎａｌ；ＡＴ）からフィードバック情報を受信する段階と、
前記フィードバック情報に基づいて前記二つ以上のＡＴを第１ＡＴまたは第２ＡＴとして割り当てる段階と、
階層化された（ｌａｙｅｒｅｄ）変調技法を用いて前記一つ以上のデータストリームを変調する段階と、
前記第１ＡＴ及び前記第２ＡＴのシンボルに無線資源を割り当てる段階と、
前記割り当てられた無線資源によって前記第１ＡＴ及び前記第２ＡＴのうち一つ以上に前記シンボルを転送する段階と、
を含み、
前記第１ＡＴは前記第２ＡＴよりも小さい経路損失を有し、前記第２ＡＴは前記第１ＡＴよりも大きい経路損失を有することを特徴とするデータ転送方法。
【請求項２２】
前記無線資源が、転送電力レベル及びチャネル化コードを含むことを特徴とする、請求項２１に記載のデータ転送方法。
【請求項２３】
前記第１ＡＴへの前記シンボルに対する前記転送電力レベルを、前記第１ＡＴに対応するパケットデータチャネル（ｐａｃｋｅｔ  ｄａｔａ  ｃｈａｎｎｅｌ；ＰＤＣＨ）を生成するレベルに設定することを特徴とする、請求項２１に記載のデータ転送方法。
【請求項２４】
前記第２ＡＴへの前記シンボルに対する前記転送電力レベルを、前記第２ＡＴに対応するパケットデータチャネル（ＰＤＣＨ）を生成するレベルに設定することを特徴とする、請求項２１に記載のデータ転送方法。
【請求項２５】
前記フィードバック情報が、前記第１ＡＴ及び前記第２ＡＴをスケジューリングするのに用いられ、
前記フィードバック情報が、チャネル品質情報（ｃｈａｎｎｅｌ  ｑｕａｌｉｔｙ  ｉｎｆｏｒｍａｔｉｏｎ；ＣＱＩ）、データレート制御（ｄａｔａ  ｒａｔｅ  ｃｏｎｔｒｏｌ；ＤＲＣ）または移動平均（ｍｏｖｉｎｇ  ａｖｅｒａｇｅ）のうち少なくとも一つであることを特徴とする、請求項２１に記載のデータ転送方法。
【請求項２６】
前記スケジューリングされた第１ＡＴ及び前記スケジューリングされた第２ＡＴが、それぞれのＡＴへの制御情報、階層番号を指示するためのフィールドまたは転送電力レベルのためのフィールドのうち少なくとも一つを伝達するのに用いられるパケットデータ制御チャネル（ｐａｃｋｅｔ  ｄａｔａ  ｃｏｎｔｒｏｌ  ｃｈａｎｎｅｌ；ＰＤＣＣＨ）により示されることを特徴とする、請求項２５に記載のデータ転送方法。
【請求項２７】
前記フィールドが一つ以上のビットにより示されることを特徴とする、請求項２６に記載のデータ転送方法。
【請求項２８】
高速ダウンリンクパケットアクセス（Ｈｉｇｈ  ｓｐｅｅｄ  ｄｏｗｎｌｉｎｋ  ｐａｃｋｅｔ  ａｃｃｅｓｓ；ＨＳＤＰＡ）システムで重畳コーディング（ｓｕｐｅｒｐｏｓｉｔｉｏｎ  ｃｏｄｉｎｇ；ＳＰＣ）を用いて一つ以上のデータストリームを転送する方法であって、
二つ以上の接続端末（ａｃｃｅｓｓ  ｔｅｒｍｉｎａｌ；ＡＴ）からフィードバック情報を受信する段階と、
前記フィードバック情報に基づいて前記二つ以上のＡＴを第１ＡＴまたは第２ＡＴとして割り当てる段階と、
階層化された（ｌａｙｅｒｅｄ）変調技法を用いて前記一つ以上のデータストリームを変調する段階と、
前記第１ＡＴ及び前記第２ＡＴのシンボルに無線資源を割り当てる段階と、
前記割り当てられた無線資源によって前記第１ＡＴ及び前記第２ＡＴのうち一つ以上に前記シンボルを転送する段階と、
を含み、
前記第１ＡＴは前記第２ＡＴよりも小さい経路損失を有し、前記第２ＡＴは前記第１ＡＴよりも大きい経路損失を有することを特徴とするデータ転送方法。
【請求項２９】
前記階層化された変調技法が、高速ダウンリンク共有チャネル（Ｈｉｇｈ  ｓｐｅｅｄ  ｄｏｗｎｌｉｎｋ  ｓｈａｒｅｄ  ｃｈａｎｎｅｌ；ＨＳ−ＤＳＣＨ）のそれぞれに適用されることを特徴とする、請求項２８に記載のデータ転送方法。
【請求項３０】
前記各ＨＳ−ＤＳＣＨが、長さ１６のウォルシュコードの構成可能な個数を使用することを特徴とする、請求項２９に記載のデータ転送方法。
【請求項３１】
前記無線資源が、転送電力レベル及びチャネル化コードを含み、
前記第１ＡＴに対する前記転送電力レベルが、前記第１ＡＴのために設定され、前記第２ＡＴに対する前記転送電力が、前記第２ＡＴのために設定されることを特徴とする、請求項２８に記載のデータ転送方法。
【請求項３２】
前記階層化された変調技法が、高速共有制御チャネル（Ｈｉｇｈ  ｓｐｅｅｄ  ｓｈａｒｅｄ  ｃｏｎｔｒｏｌ  ｃｈａｎｎｅｌ；ＨＳ−ＳＣＣＨ）のそれぞれに適用されることを特徴とする、請求項２８に記載のデータ転送方法。
【請求項３３】
前記各ＨＳ−ＳＣＣＨが、階層番号または転送電力レベルのうち少なくとも一つを指示するためのフィールドを含むことを特徴とする、請求項３２に記載のデータ転送方法。
【請求項３４】
前記フィールドが一つ以上のビットで示されることを特徴とする、請求項３３に記載のデータ転送方法。
【請求項３５】
前記各ＨＳ−ＳＣＣＨが、転送電力レベルを示すための階層番号を含むことを特徴とする、請求項３２に記載のデータ転送方法。
【請求項３６】
前記階層番号が前記第２ＡＴのために示されると、前記転送電力レベルは高く、
前記階層番号が前記第１ＡＴのために示されると、前記電力レベルは低いことを特徴とする、請求項３５に記載のデータ転送方法。
【発明の詳細な説明】
【技術分野】
【０００１】
本発明は、重畳コーディング（ｓｕｐｅｒｐｏｓｉｔｉｏｎ  ｃｏｄｉｎｇ）を具現する方法に係り、より具体的には、無線通信システムで順方向リンクに対する重畳コーディングを具現する方法に関する。
【背景技術】
【０００２】
現在、無線通信の使用者は移動性の自由を享受している。すなわち、移動端末機を持つ使用者は通話連結が切れることなく場所を移しながら通話をするこができる。使用者は時々、ある一定のサービスカバレッジ領域から他のサービスカバレッジ領域（すなわち、一つのセルから他のセル）へと移動する。同時に、使用者は、同じカバレッジ領域またはセル／セクター内のある場所から他の場所へと移動する。
【０００３】
複数の使用者が同一セル／セクター内で移動する時に、基地局（Ｂａｓｅ  Ｓｔａｔｉｏｎ；以下、‘ＢＳ’という。）またはネットワークがこのような複数の使用者にメッセージを伝達することは重要である。一部の使用者はＢＳの近くに位置する場合もあるが、ある使用者は遠くに位置する場合もあり、よって、これに関らずに、使用者が干渉及び連結切れ無しでメッセージを受信し続くことが重要である。
【０００４】
したがって、現在サービスカバレッジ領域内の使用者に効果的なサービスを提供すべくＢＳからの信号がより効率的でより確実に使用者（すなわち、移動局または接続端末）に伝達されることが重要である。
【発明の開示】
【発明が解決しようとする課題】
【０００５】
本発明は、従来技術の限界及び不都合による一つ以上の問題を実質的に除去する、無線通信システムで順方向リンクのための重畳コーディングを具現する方法に関する。
【０００６】
本発明の目的は、無線通信システムで重畳コーディング（ｓｕｐｅｒｐｏｓｉｔｉｏｎ  ｃｏｄｉｎｇ；ＳＰＣ）を用いて一つ以上のデータストリームを転送する方法を提供することにある。
【０００７】
本発明の他の目的は、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）システムで重畳コーディング（ＳＰＣ）を用いて一つ以上のデータストリームを転送する方法を提供することにある。
【０００８】
本発明のさらに他の目的は、高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ；ＨＳＤＰＡ）システムで重畳コーディング（ＳＰＣ）を用いて一つ以上のデータストリームを転送する方法を提供することにある。
【課題を解決するための手段】
【０００９】
このような目的及び利点を獲得し且つ本発明の目的に応じるために、本明細書で具体化され且つ広範囲に説明されたように、無線通信システムで重畳コーディングを用いて一つ以上のデータストリームを転送する方法は、二つ以上の接続端末（ａｃｃｅｓｓ  ｔｅｒｍｉｎａｌ；ＡＴ）からフィードバック情報を受信し、前記フィードバック情報に基づいて前記二つ以上のＡＴを第１ＡＴまたは第２ＡＴとして割り当て、チャネルコーディング技法により前記一つ以上の入力されたデータストリームをチャネルコーディングし、階層化された（ｌａｙｅｒｅｄ）変調技法を用いて前記一つ以上のデータストリームを変調し、前記第１ＡＴ及び前記第２ＡＴのシンボルに無線資源を割り当て、前記割り当てられた無線資源によって前記第１ＡＴ及び前記第２ＡＴのうち一つ以上に前記シンボルを転送する。この時、前記第１ＡＴは、前記第２ＡＴよりも小さい経路損失を有し、前記第２ＡＴは前記第１ＡＴよりも大きい経路損失を有する。
【００１０】
本発明の他の様相として、無線通信システムで重畳コーディング（ＳＰＣ）を用いて一つ以上のデータストリームを転送する方法は、第１ＡＴ及び第２ＡＴのデータ部分が重なると、前記一つ以上のデータストリームの一つ以上のデータ部分または前記一つ以上のデータストリームのプリアンブルを階層変調（ｌａｙｅｒ  ｍｏｄｕｌａｔｉｏｎ）し、前記第１ＡＴ及び前記第２ＡＴのうち一つ以上にシンボルを転送する。
【００１１】
この時、前記第１ＡＴは前記第２ＡＴよりも小さい経路損失を有し、前記第２ＡＴは前記第１ＡＴよりも大きい経路損失を有する。
【００１２】
本発明のさらに他の様相として、直交周波数分割多重化（ＯＦＤＭ）システムで重畳コーディング（ＳＰＣ）を用いて一つ以上のデータストリームを転送する方法は、二つ以上の接続端末（ＡＴ）からフィードバック情報を受信し、前記フィードバック情報に基づいて前記二つ以上のＡＴを第１ＡＴまたは第２ＡＴとして割り当て、階層化された（ｌａｙｅｒｅｄ）変調技法を用いて前記一つ以上のデータストリームを変調し、前記第１ＡＴ及び前記第２ＡＴのシンボルに無線資源を割り当て、前記割り当てられた無線資源によって前記第１ＡＴ及び前記第２ＡＴのうち一つ以上に前記シンボルを転送する。この時、前記第１ＡＴは前記第２ＡＴよりも小さい経路損失を有し、前記第２ＡＴは前記第１ＡＴよりも大きい経路損失を有する。
【００１３】
本発明のさらに他の様相として、高速ダウンリンクパケットアクセス（ＨＳＤＰＡ）システムで重畳コーディング（ＳＰＣ）を用いて一つ以上のデータストリームを転送する方法は、二つ以上の接続端末（ＡＴ）からフィードバック情報を受信し、前記フィードバック情報に基づいて前記二つ以上のＡＴを第１ＡＴまたは第２ＡＴとして割り当て、階層化された（ｌａｙｅｒｅｄ）変調技法を用いて前記一つ以上のデータストリームを変調し、前記第１ＡＴ及び前記第２ＡＴのシンボルに無線資源を割り当て、前記割り当てられた無線資源によって前記第１ＡＴ及び前記第２ＡＴのうち一つ以上に前記シンボルを転送する。この時、前記第１ＡＴは前記第２ＡＴよりも小さい経路損失を有し、前記第２ＡＴは前記第１ＡＴよりも大きい経路損失を有する。
【発明を実施するための最良の形態】
【００１４】
以下、添付の図面を参照しつつ、本発明の好適な実施例について詳細に説明する。図面中、同一の構成要素には可能な限り同一の参照符号を付する。
【００１５】
無線通信システムで、接続端末（Ａｃｃｅｓｓ  Ｔｅｒｍｉｎａｌ；以下、‘ＡＴ’という。）の移動性により、ＡＴは任意の時間でサービングセル／セクターの基地局（Ｂａｓｅ  ｓｔａｔｉｏｎ；以下、‘ＢＳ’という。）から近くにまたは遠くに位置することができる。この理由から、かかるＡＴは相互に異なる経路損失を有することができる。例えば、ＢＳの近くにあるＡＴは非常に小さい経路損失を有し、ＢＳの遠くにあるＡＴはその距離分だけ、より多くの経路損失を有することができる。
【００１６】
サービングセル（Ｓｅｒｖｉｎｇ  ｃｅｌｌ）内に二つのＡＴがあるとする。そのいずれか一方はＢＳの近くにあり（以下、これを‘Ｃｌｏｓｅ＿ＡＴ’と称する。）、残りの一方はＢＳの遠くにある（以下、これを‘Ｆａｒ＿ＡＴ’と称する。）。Ｃｌｏｓｅ＿ＡＴは小さい経路損失を経験するという意味でＢＳの近くにあるＡＴである。より具体的には、Ｃｌｏｓｅ＿ＡＴは、該当のＡＴのチャネル品質指示子（Ｃｈａｎｎｅｌ  Ｑｕａｌｉｔｙ  Ｉｎｄｉｃａｔｏｒ；以下、‘ＣＱＩ’という。）が予め設定された臨界値よりも小さい。Ｆａｒ＿ＡＴは、ＡＴが大きい経路損失を経験するという意味でＢＳの遠くにあるＡＴである。より具体的には、Ｆａｒ＿ＡＴは、該当のＡＴのＣＱＩが予め設定された臨界値よりも大きいＡＴである。
【００１７】
図１は、セルラーシステム内でサービングＢＳから遠くにまたは近くに位置するＡＴを示す例示図である。図１を参照すると、Ｆａｒ＿ＡＴが大きい経路損失を経験するのに対し、Ｃｌｏｓｅ＿ＡＴは小さい経路損失を経験する。現在のシステムでは、転送電力及びチャネル化コード（ｃｈａｎｎｅｌｉｚａｔｉｏｎ  ｃｏｄｅ）に関する１セットの資源は、ＡＴのうち一つにのみ排他的に割り当てられることができる。例えば、資源は、Ｆａｒ＿ＡＴへの転送のために割り当てられることができ、その結果、Ｃｌｏｓｅ＿ＡＴへの資源割当は排除される。
【００１８】
このような制限または限定された割当方法は、非効率的で非効果的であるといえよう。このような制限を処理すべく様々な技法が用いられることができ、その一つが重畳コーディング（ｓｕｐｅｒｐｏｓｉｔｉｏｎ  ｃｏｄｉｎｇ；以下、‘ＳＰＣ’という。）である。
【００１９】
ＳＰＣで、ＢＳはＦａｒ＿ＡＴ及びＣｌｏｓｅ＿ＡＴの両方に転送する。これにより、転送電力及びチャネル化コードに関する電力がこれら両ＡＴ間で制御及び共有されることができる。例えば、Ｃｌｏｓｅ＿ＡＴは少ない経路損失を有するので、ＢＳはＣｌｏｓｅ＿ＡＴに転送電力の小さい部分を割り当てることができ、より大きい部分の転送電力は、より大きい経路損失を有するＦａｒ＿ＡＴに割り当てられることができる。しかし、両ＡＴは同一資源を使用することができる。その接近として、両ＡＴは信号対雑音比（ｓｉｇｎａｌ−ｔｏ−ｎｏｉｓｅ  ｒａｔｉｏ；ＳＮＲ）（または、必要によっては他のレベル）と略同一レベルを経験することができる。両ＡＴが同一資源を共有するものの、これらＡＴは簡略に説明したような階層的変調（ｌａｙｅｒｅｄ  ｍｏｄｕｌａｔｉｏｎ）によって区別可能である。
【００２０】
ＳＰＣは、階層構造的な変調または階層的な変調で定義されることができる。階層的な変調の一例として、Ｃｌｏｓｅ＿ＡＴ及びＦａｒ＿ＡＴはそれぞれ、ＱＰＳＫ（Ｑｕａｄｒａｔｕｒｅ  ｐｈａｓｅ  ｓｈｉｆｔ  ｋｅｙｉｎｇ；ＱＰＳＫ）変調を用いることができる。
【００２１】
図２は、各階層のためにＱＰＳＫを用いる階層構造的（ｈｉｅｒａｒｃｈｉａｌ）または階層的（ｌａｙｅｒｅｄ）な変調を示す例示図である。図２を参照すると、階層１（Ｌａｙｅｒ１）（内部階層）及び階層２（Ｌａｙｅｒ２）（外部階層）は、ＱＰＳＫ技法によって変調される。ここで、重畳変調（ｓｕｐｅｒｐｏｓｉｔｉｏｎ  ｍｏｄｕｌａｔｉｏｎ）はたいてい非均一１６ＱＡＭ（Ｑｕａｄｒａｔｕｒｅ  ａｍｐｌｉｔｕｄｅ  ｍｏｄｕｌａｔｉｏｎ）につながる。すなわち、それぞれの最も隣接するもの間のユークリッド（Ｅｕｃｌｉｄｅａｎ）距離は必ず同一である必要はない。
【００２２】
別の方法では、図３に示すように、階層２信号変調配列（ｃｏｎｓｔｅｌｌａｔｉｏｎ）の一部または全部がその階層化されたり重畳された信号の最小ユークリッド距離が最大化されるように重畳前に適切に回転されることができる。この方式は、異なったり同一な変調タイプのいかなる他の可能な組合せにも適用されることができる。
【００２３】
また、Ｃｌｏｓｅ＿ＡＴ及びＦａｒ＿ＡＴの信号（また、Ｃｌｏｓｅ＿ｓｉｇｎａｌ及びＦａｒ＿ｓｉｇｎａｌともそれぞれ呼ばれる）は、図４に示すような１６ＱＡＭ信号のような複合信号を形成するように一緒に結合されることができる。ここで、Ｃｌｏｓｅ＿ｓｉｇｎａｌはＣｌｏｓｅ＿ＡＴに対する信号で、Ｆａｒ＿ｓｉｇｎａｌはＦａｒ＿ＡＴに対する信号である。
【００２４】
図４は、Ｃｌｏｓｅ＿ＡＴ及びＦａｒ＿ＡＴ両者ともＱＰＳＫ変調を用いる階層構造的または階層的な変調を示す例示図である。ここで、Ｆａｒ＿ＡＴシンボル検出のための決定境界（ｄｅｃｉｓｉｏｎ  ｂｏｕｎｄａｒｙ）は、ｘ軸及びｙ軸と同一である。Ｃｌｏｓｅ＿ＡＴシンボルのための決定境界は、上段左側四分面にのみ示されているように、＋サインのようになるが、各クラスター（ｃｌｕｓｔｅｒ）の中心に位置する。一般的に、ＳＰＣは下記のように説明されることができる。
【００２５】
図５は、重畳変調または階層的な変調を示す例示図である。より具体的には、図５を参照すると、各使用者の信号またはデータストリームは、低次変調技法のような変調技法で変調されることができる。その後、重畳変調されたり階層変調されたサブストリームは、他の多重化技法により多重化（または重畳）されることができる。結果として、データストリームは、付加的な処理利得（ｐｒｏｃｅｓｓｉｎｇ  ｇａｉｎ）及び／または付加的な周波数／時間を要求することなく效率的に多重化されることができる。
【００２６】
図５に示すように、チャネルコーディングされたデータストリームは、プリコーディング（ｐｒｅ−ｃｏｄｉｎｇ）（または重畳／多重化）に先立ち、変調技法によって変調される。ここで、各チャネルコーディングされたデータストリームは、ＱＰＳＫにより変調され、１６ＱＡＭでプリコーディングされたり重畳される。すなわち、プリコーディングされたシンボルは、１６ＱＡＭで結合される。プリコーディングは、位相調節の他に電力分配も含む。また、チャネルコーディング技法は、ターボコーディング、畳み込みコーディングまたはリード・ソロモン（Ｒｅｅｄ−Ｓｏｌｏｍｏｎ）コーディングを含むことができる。
【００２７】
なお、利用可能な他の変調技法は、ＰＳＫ（Ｐｈａｓｅ  ｓｈｉｆｔ  ｋｅｙｉｎｇ）及び回転されたＰＳＫ、異なる振幅を有するＱＡＭ、ＱＰＳＫ（Ｑｕａｄｒａｔｕｒｅ  ＰＳＫ）及び１６ＱＡＭ、ＱＰＳＫ及び６４ＱＡＭ、ＧＭＳＫ（Ｇａｕｓｓｉａｎ  ｍｉｎｉｍｕｍ  ｓｈｉｆｔ  ｋｅｙｉｎｇ）及びＰＳＫ、及び、ＧＭＳＫ及びＱＡＭを含む。ここで、ＰＳＫ及び回転されたＰＳＫは、ＢＰＳＫ（Ｂｉｎａｒｙ  ＰＳＫ）及び回転されたＢＰＳＫ、ＱＰＳＫ及び回転されたＱＰＳＫ、及び、１６ＰＳＫ及び回転された１６ＰＳＫのうちいずれか一つによりさらに定義される。
【００２８】
複数使用者が同時に特定の時間−周波数スロット内で収容される時、様々な多重化技法及びそれらの組合せが用いられることができる。重畳技法によって、一つのシンボルが複数使用者のために使用されることができる。
【００２９】
重畳プリコーディングに関するこの点を示すべく、単一送信機が複数の受信端（または使用者）に同時にデータストリームを転送するのに使用されうる場合を考慮する。データストリームは同一である場合（すなわち、ＴＶ放送）もあり、または、各使用者別に異なる場合もある。なお、独立したデータストリームが複数のアンテナを有する転送機から各使用者に送られる場合も考えられる。
【００３０】
すなわち、多重化されたり重畳されたサブストリーム（またはシンボル）を転送する際に、例えば、その同一の結合されたシンボルは全体ビーム形成アレイを通じて転送されることができる。これはコヒーレントビーム形成（ｃｏｈｅｒｅｎｔ  ｂｅａｍ  ｆｏｒｍｉｎｇ）と呼ばれることができる。これと違い、例えば、各シンボルまたはサブストリーム（すなわち、シンボル配列の一部のサブセットまたは各使用者のサブシンボル）は、異なるアンテナを通じて別個にまたは独立して転送されることができる。これは、コヒーレント多重入力、多重出力（Ｍｕｌｔｉ  Ｉｎｐｕｔ、Ｍｕｌｔｉ  Ｏｕｔｐｕｔ；ＭＩＭＯ）と呼ばれることができる。
【００３１】
また、転送に用いられる複数のビームがあると、例えば、より多くの使用者容量利得（ｕｓｅｒ  ｃａｐａｃｉｔｙ  ｇａｉｎ）が空間多重化を通じて得られることができる。より具体的には、各ビームは、混合シンボル（すなわち、単一ビーム形成またはコヒーレントビーム形成）を伝達することができる。あるいは、各低次変調シンボルまたはサブストリームは、例えば単一ビームを通じて転送されることができる。あるいは、ビーム形成技法の結合が用いられることができ、これは、一部ビームは混合シンボルを伝達し、一部ビームは単一ビームを通じて転送されうるということを意味する。
【００３２】
なお、例えば、空間−時間ブロックコーディング（ｓｐａｃｅ−ｔｉｍｅ  ｂｌｏｃｋ  ｃｏｄｉｎｇ；ＳＴＢＣ）が用いられることができる。より具体的には、単一ストリームＳＴＢＣにおいて、ＳＴＢＣは、変調多重化または重畳後に行われる、及び／または複数の入力された低次変調シンボルまたはサブストリーム上で行われることができる。複数ストリームＳＴＢＣでは、各サブストリームは単一ＳＴＢＣとして扱われることができ、それぞれの低次変調シンボルまたはサブストリームは単一ＳＴＢＣストリームを通じて転送される、及び／または一部ＳＴＢＣストリームは前述した技法の組合せを用いることができ、一部のストリームのそれぞれは単一ストリームＳＴＢＣとして扱われ、一部の低次変調ストリームのそれぞれは単一ＳＴＢＣストリームを通じて転送される。
【００３３】
重畳技法による成功的な遂行のために、例えば、転送端から各使用者のための予め定められたレート（ｒａｔｅ）／電力分配及び受信端からのＳＩＣが用いられることができる。レートまたは電力分配が予め定められていないと、送信機は、上位階層シグナリングまたはプリアンブルまたは異なるパイロットパターンを用いて事前にまたは同時に（複数の）受信機に信号を送る。
【００３４】
ＳＰＣは、ＣＤＭＡ２０００（Ｃｏｄｅ  ｄｉｖｉｓｉｏｎ  ｍｕｌｔｉｐｌｅ  ａｃｃｅｓｓ  ２０００）、ＧＳＭ（Ｇｌｏｂａｌ  ｓｙｓｔｅｍ  ｆｏｒ  ｍｏｂｉｌｅ  ｃｏｍｍｕｎｉｃａｔｉｏｎｓ）、ＷＣＤＭＡ（ｗｉｄｅｂａｎｄ  ＣＤＭＡ）、ＨＳＤＰＡ（ｈｉｇｈ  ｓｐｅｅｄ  ｄｏｗｎｌｉｎｋ  ｐａｃｋｅｔ  ａｃｃｅｓｓ）、ＷｉＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）、ＥＶ−ＤＯ（ｅｖｏｌｕｔｉｏｎ−ｄａｔａ  ｏｐｔｉｍｉｚｅｄ）、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭＡ（ＯＦＤＭ  ａｃｃｅｓｓ）及びＣＤＭ（ｃｏｄｅｄｉｖｉｓｉｏｎ  ｍｕｌｔｉｐｌｅｘｉｎｇ）を含む様々な無線通信システムに適用されることができる。
【００３５】
一つのＡＴにのみ排他的に転送電力／チャネル化コードを割り当てることと関連した非効率性の点を考慮し、ＳＰＣを適用する全てのＡＴは、サービングＢＳから転送されたシンボル／信号を受信することができる。議論の通り、ＳＰＣは、ＢＳがそのサービングセル／セクター内の全てのＡＴに転送することを許容する。
【００３６】
ＢＳがそのサービングセル／セクター内の全てのＡＴに転送可能になるにつれ、ＢＳが、それぞれのＡＴ及び／または全てのＡＴへの転送を制御できることが重要となってくる。すなわち、ＢＳまたは（サービングＢＳ）は、ＳＰＣが適用された複数のＡＴへの転送を制御でき、転送電力レベル及びサブパケットの整列を制御することができる。
【００３７】
ＳＰＣによってＢＳがそのセル／セクター内の全てのＡＴへの転送ができるので、複数のＡＴが、与えられた時間でサービングセル／セクター内に存在することが可能である。与えられた時間でサービングセル／セクター内に複数のＡＴがあると、サービングＢＳによる全てのＡＴへの転送は複雑になる恐れがある。これに対応して、任意の与えられた時間でＳＰＣが適用されるＡＴの最大個数を制限または固定することができる。ここで、この最大個数は、構成可能であり、最適の転送を提供するように構成すれば良い。
【００３８】
例えば、システムは、ＳＰＣが適用されたＡＴの最大個数を２と定義することができる。これは、ＢＳが１セットのチャネル化コード（または資源）をもって０、１、または２つのＡＴに転送することができる。ここで、ＢＳは、ＳＰＣシンボル（またはサブストリーム）をＡＴに転送する。すなわち、ＢＳは、ＳＰＣシンボルをいかなるＡＴにも転送しないこともでき、Ｃｌｏｓｅ＿ＡＴまたはＦａｒ＿ＡＴのいずれか一方に、または、Ｃｌｏｓｅ＿ＡＴ及びＦａｒ＿ＡＴの両方にＳＰＣシンボルを転送することもできる。
【００３９】
また、ＳＰＣシンボルを転送するに当たり、転送電力レベルは、与えられた任意の時間で各階層（または階層間の電力比率）ごとに固定されることができる。例えば、Ｃｌｏｓｅ＿ＡＴ及びＦａｒ＿ＡＴがあれば、Ｃｌｏｓｅ＿ＡＴはＦａｒ＿ＡＴよりも相対的に小さい転送電力が割り当てられることができる。すなわち、Ｃｌｏｓｅ＿ＡＴは、Ｆａｒ＿ＡＴよりも相対的に転送電力が１０ｄＢ少なく割り当てられることができる。論議の通り、Ｃｌｏｓｅ＿ＡＴは、Ｆａｒ＿ＡＴよりも相対的に少ない経路損失を経験するＡＴとされるのが一般的である。Ｃｌｏｓｅ＿ＡＴへと割り当て可能な数または値（すなわち、１０ｄＢ）は、システムごとに固定される、及び／または構成されることができる。これと違い、独立した転送電力が任意の与えられた時間で各階層ごとに割り当てられても良い。
【００４０】
自動再送要請（ａｕｔｏｍａｔｉｃ  ｒｅｐｅａｔ  ｒｅｑｕｅｓｔ；ＡＲＱ）またはその変形（Ｈｙｂｒｉｄ  ＡＲＱ）を使用するシステムにおいては、Ｃｌｏｓｅ＿ＡＴパケット及びＦａｒ＿ＡＴパケットのための最初のサブパケットは整列されることができるが、必ず整列される必要があるわけではない。
【００４１】
ＡＴにとっては、ＡＴがサービングＢＳから転送されるＳＰＣシンボル／パケットを適切に受信することが重要である。このため、各ＡＴは、ＳＰＣシンボル及び／またはＳＰＣパケットを受信し復号する。
【００４２】
より具体的には、パケットに対してだけでなく、シンボルに対する検出も可能である。シンボル検出と関連し、Ｆａｒ＿ＡＴは従来手段によってそれぞれの受信されたシンボルを復号することができる。Ｃｌｏｓｅ＿ＡＴに関しては、Ｃｌｏｓｅ＿ＡＴはＦａｒ＿ＡＴに対するシンボルをまず復号することができ、受信されたシンボルからＣｌｏｓｅ＿ＡＴシンボルを除去または取消することができる。すなわち、Ｆａｒ＿ＡＴシンボルがまず復号される。理想的には、Ｃｌｏｓｅ＿ＡＴ信号は不完全な除去によって残り、一般的に、残留雑音、干渉及びＦａｒ＿ＡＴ信号からの跡が存在する。Ｃｌｏｓｅ＿ＡＴは、以降、Ｃｌｏｓｅ＿ＡＴ信号のためのこの残留信号に対するシンボル検出を行う。
【００４３】
あるいは、パケット検出も可能である。パケット検出と関連した手順は、Ｃｌｏｓｅ＿ＡＴがＦａｒ＿ＡＴパケットを成功的に復号してからＦａｒ＿ＡＴ信号を除去するという点以外は、シンボル検出の手順と同一である。これは、パケットに対する成功的な復号動作を指示するチェックまたはＣＲＣ（ｃｙｃｌｉｃ  ｒｅｄｕｎｄａｎｃｙ  ｃｏｄｅ）またはチェックサム（ｃｈｅｃｋｓｕｍ）が通過すると典型的に達成されることができる。
【００４４】
図１を参照すると、サービングセル／セクター内のＡＴは、例えば、経路損失の度合によって、Ｃｌｏｓｅ＿ＡＴ（近距離ＡＴ）またはＦａｒ＿ＡＴ（遠距離ＡＴ）として識別されることができる。また、Ｃｌｏｓｅ＿ＡＴ及び／またはＦａｒ＿ＡＴは、指定されたＣＱＩ臨界値に基づいて定義されることができる。ここで、データ率制御（ｄａｔａ  ｒａｔｅ  ｃｏｎｔｒｏｌ；以下、‘ＤＲＣ’という。）がまた、ＣＱＩの代わりに使用されることができる。
【００４５】
また、ＢＳはＡＴを近くにまたは遠くに指定することができる。より具体的には、ＢＳは、ＡＴを、報告されたＣＱＩ、ＤＲＣまたはシステムにより受信されたある移動平均が、指定された値（すなわち、Ｃｌｏｓｅ＿ＣＱＩ＿Ｔｈｒｅｓｈｏｌｄ）以下である点に基づき、Ｃｌｏｓｅ＿ＡＴとして指定することができる。ＣＱＩは、ＡＴからリンク適応及び／またはレート制御及びＡＴのスケジューリングのために用いられることができるＢＳ送信機に転送される。
【００４６】
なお、ＢＳは、報告されたＣＱＩ、ＤＲＣまたはシステムにより受信された一部の移動平均が、指定された値（すなわち、Ｆａｒ＿ＣＱＩ＿Ｔｈｒｅｓｈｏｌｄ）よりも大きいと、ＡＴをＦａｒ＿ＡＴとして指定することができる。ＤＲＣは、ＡＴによりＢＳ送信機に転送され、ＣＱＩと類似な目的を持っている。しかし、これはまた、ＢＳがＡＴにデータを転送する時、ＢＳが使用すべきデータレートを示すことができる。ＣＱＩと同様に、ＤＲＣはリンク適応及び／またはレート制御（ｒａｔｅ  ｃｏｎｔｒｏｌ）及びＡＴをスケジューリングするのに用いられることができる。
【００４７】
あるいは、ＡＴはそれ自身をＣｌｏｓｅ＿ＡＴまたはＦａｒ＿ＡＴとして指定することができる。より具体的には、ＡＴは、自身のＣＱＩ、ＤＲＣまたはある移動平均が、指定された値（すなわち、Ｃｌｏｓｅ＿ＣＱＩ＿Ｔｈｒｅｓｈｏｌｄ）以下である時、それ自身をＣｌｏｓｅ＿ＡＴとして指定することができる。Ｃｌｏｓｅ＿ＣＱＩ（またはＤＲＣ）＿Ｔｈｒｅｓｈｏｌｄは、ＡＴがＣｌｏｓｅ＿ＡＴとして指定される臨界値を表す。しかも、ＡＴは自身のＣＱＩ、ＤＲＣまたはある移動平均が指定された値（すなわち、Ｆａｒ＿ＣＱＩ＿Ｔｈｒｅｓｈｏｌｄ）以上である場合（または同一の場合）、自身をＦａｒ＿ＡＴとして指定することができる。Ｆａｒ＿ＣＱＩ（またはＤＲＣ）＿Ｔｈｒｅｓｈｏｌｄは、ＡＴがＦａｒ＿ＡＴとして指定される臨界値を表す。Ｃｌｏｓｅ＿ＣＱＩ＿Ｔｈｒｅｓｈｏｌｄ及びＦａｒ＿ＣＱＩ＿Ｔｈｒｅｓｈｏｌｄは同一であっても良く、異なっても良い。
【００４８】
また、Ｃｌｏｓｅ＿ＡＴまたはＦａｒ＿ＡＴとしてＡＴを指定すべく、サービングＢＳはまた、ＡＴをスケジューリングすることができる。ＡＴをスケジューリングすることと関し、Ｃｌｏｓｅ＿ＡＴは、Ｃｌｏｓｅ＿ＡＴ、Ｆａｒ＿ＡＴまたは場合によりＲｅｇｕｌａｒ＿ＡＴとしてスケジューリングされることができる。Ｆａｒ＿ＡＴのスケジューリングに関し、Ｆａｒ＿ＡＴはＦａｒ＿ＡＴまたはＲｅｇｕｌａｒ＿ＡＴとしてスケジューリングされることができる。ここで、Ｒｅｇｕｌａｒ＿ＡＴとは、従来システムでＳＰＣの概念なしで動作するＡＴのことをいう。
【００４９】
また、Ｃｌｏｓｅ＿ＡＴ及びＦａｒ＿ＡＴ間のピンポン効果（ｐｉｎｇ−ｐｏｎｇ  ｅｆｆｅｃｔ）を防止すべく、ソフトハンドオーバーのための電力制御付加及び／または削除領域のそれと類似なヒステリシス（ｈｙｓｔｅｒｅｓｉｓ）が付加されることができる。あるいは、Ｃｌｏｓｅ＿ＣＱＩ＿ＴｈｒｅｓｈｏｌｄがＦａｒ＿ＣＱＩ＿Ｔｈｒｅｓｈｏｌｄよりも小さいと、ＡＴは、Ｃｌｏｓｅ＿ＣＱＩ＿Ｔｈｒｅｓｈｏｌｄ及びＦａｒ＿ＣＱＩ＿Ｔｈｒｅｓｈｏｌｄの両者を読むように要請される。これは、Ｃｌｏｓｅ＿ＣＱＩ＿ＴｈｒｅｓｈｏｌｄをＦａｒ＿ＣＱＩ＿Ｔｈｒｅｓｈｏｌｄよりも大きく設定することによって達成可能である。
【００５０】
上述のＳＰＣに関する議論は、ＣＤＭＡ２０００、ＧＳＭ、ＷＣＤＭＡ、ＨＳＤＰＡ、ＷｉＭＡＸシステムなどのような様々なセルラー（ｃｅｌｌｕｌａｒ）、無線通信システムと関連付けられることができる。すなわち、上述の議論は一般的な説明として定義されることができる。以下の説明は、リビジョン０、Ａ及びＢタイプシステムを含むＣＤＭＡ２０００またはＥＶ−ＤＯ／ＩＳ−８５６１ｘＥＶ−ＤＯシステムにもっと特化されたものである。
【００５１】
ＣＤＭＡ２０００またはＥＶ−ＤＯ／ＩＳ−８５６ １ｘＥＶ−ＤＯシステムに関しては、Ｃｌｏｓｅ＿ＡＴ及びＦａｒ＿ＡＴに対するデータ部分が重なる場合には、ＳＰＣがデータ部分（非パイロットまたはＭＡＣバースト）に適用されることができる。より具体的には、Ｃｌｏｓｅ＿ＡＴに対するシンボル及びＦａｒ＿ＡＴに対するシンボルは、長さ１６のウォルシュコードが適用されることができる。このシンボルのこのような適用は、各ウォルシュコードに対して反復されることができる。
【００５２】
なお、ＳＰＣは、Ｃｌｏｓｅ＿ＡＴ及びＦａｒ＿ＡＴに対するプリアンブルが重なると、プリアンブル部分にも適用されることができる。より具体的には、Ｃｌｏｓｅ＿ＡＴに対するシンボル及びＦａｒ＿ＡＴに対するシンボルは、長さ６４のウォルシュコードが適用されることができる。
【００５３】
また、ＳＰＣは、Ｃｌｏｓｅ＿ＡＴ及びＦａｒ＿ＡＴのプリアンブル及びデータ部分が重なると、プリアンブル及びデータ部分に適用されることができる。プリアンブルの最初のサブパケット及びデータ部分の最初のサブパケットが整列されると、プリアンブル及びデータ部分が重なることとなる。
【００５４】
Ｃｌｏｓｅ＿ＡＴ及びＦａｒ＿ＡＴへの転送のための電力レベルは固定されることができる。より具体的には、ＢＳ（またはネットワーク）は、Ｃｌｏｓｅ−ＡＴのために決定されたデータ及びプリアンブルの転送電力レベルをＣｌｏｓｅ＿Ｐｏｗｅｒ＿ｌｅｖｅｌでと設定することができる。Ｃｌｏｓｅ＿Ｐｏｗｅｒ＿Ｌｅｖｅｌは、Ｃｌｏｓｅ＿ＡＴのための信号であるＣｌｏｓｅ＿ｓｉｇｎａｌに対する転送電力レベルである。
【００５５】
また、サービングＢＳは、Ｆａｒ＿ＡＴのために決定されたデータ及びプリアンブルの転送電力レベルをＦａｒ＿Ｐｏｗｅｒ＿Ｌｅｖｅｌに設定することができる。Ｆａｒ＿Ｐｏｗｅｒ＿Ｌｅｖｅｌは、Ｆａｒ＿ＡＴのための信号であるＦａｒ＿ｓｉｇｎａｌに対する転送電力レベルである。
【００５６】
論議の通り、ＣＱＩと同様に、ＤＲＣは、リンク適応及び／または階層制御及びＡＴのスケジューリングに用いられることができる。また、ＢＳは、ＡＴから報告されたＤＲＣに基づいてＡＴをＣｌｏｓｅ＿ＡＴまたはＦａｒ＿ＡＴに指定することができる。
【００５７】
Ｃｌｏｓｅ＿ＡＴをスケジューリングするために、ＢＳスケジューラは、Ｃｌｏｓｅ＿ＡＴをスケジューリングするためのＣｌｏｓｅ＿ＤＲＣを使用することができる。Ｃｌｏｓｅ＿ＤＲＣは、近接電力レベル（Ｃｌｏｓｅ  ｐｏｗｅｒ  ｌｅｖｅｌ）に対する全体電力レベル（Ｃｌｏｓｅ＋Ｆａｒ  Ｐｏｗｅｒ  ｌｅｖｅｌ）の比に最も近い比率を量子化したＤＲＣである。また、ＢＳスケジューラは、Ｃｌｏｓｅ＿ＡＴに転送するためのデータレートを決定するために階層制御を使用することができる。また、Ｃｌｏｓｅ＿ＡＴは、近接したまたは遠いプリアンブル、及び順方向トラフィックチャネル（ｆｏｒｗａｒｄ  ｔｒａｆｆｉｃ  ｃｈａｎｎｅｌ；ＦＴＣ）のＣｌｏｓｅ＿ｓｉｇｎａｌまたはＦａｒ＿ｓｉｇｎａｌバージョン上にスケジューリングされることができる。ここで、近くのＡＴは両プリアンブルをいずれも検出することができる。
【００５８】
Ｆａｒ＿ＡＴをスケジューリングするために、ＢＳスケジューラは、Ｆａｒ＿ＡＴをスケジューリングするためのＦａｒ＿ＤＲＣを使用することができる。Ｆａｒ＿ＤＲＣは、遠距離電力レベル（Ｆａｒ  ｐｏｗｅｒ  ｌｅｖｅｌ）に対する全体電力レベル（Ｃｌｏｓｅ＋Ｆａｒ  Ｐｏｗｅｒ  ｌｅｖｅｌ）の比に最も近い比率を量子化したＤＲＣまたはＤＲＣに設定されることができる。また、ＢＳスケジューラは、Ｆａｒ＿ＡＴに転送するためのデータレートを決定するために階層制御を使用することができる。また、Ｆａｒ＿ＡＴは、遠いプリアンブル及び順方向トラフィックチャネル（ｆｏｒｗａｒｄ    ｔｒａｆｆｉｃ  ｃｈａｎｎｅｌ；ＦＴＣ）のＦａｒ＿ｓｉｇｎａｌバージョン上にスケジューリングされることができる。ＣＤＭＡ２０００またはＩＳ−８５６１ｘＥＶ−ＤＯシステムでＳＰＣの適用のために、ＳＰＣはＯＦＤＭタイプシステムにもまた適用されることができる。
【００５９】
ＳＰＣは、パケットデータチャネル（ｐａｃｋｅｔ  ｄａｔａ  ｃｈａｎｎｅｌ；以下、‘ＰＤＣＨ’という。）の１セットのＯＦＤＭトーン（ｔｏｎｅｓ）（または信号）に適用されることができる。より具体的には、Ｃｌｏｓｅ＿ＡＴ及びＦａｒ＿ＡＴ両者とものための１セットのＯＦＤＭトーン（ｔｏｎｅｓ）（または信号）に適用されることができる。近接した信号のためのシンボルは、Ｃｌｏｓｅ＿ＰＤＣＨを生成するためにＣｌｏｓｅ＿Ｐｏｗｅｒ＿Ｌｅｖｅｌに設定されることができる。遠距離の信号のためのシンボルはＦａｒ＿ＰＤＣＨを生成するためにＦａｒ＿Ｐｏｗｅｒ＿Ｌｅｖｅｌに設定されることができる。これら両信号は混合信号（すなわち、階層化された変調（ｌａｙｅｒｅｄ  ｍｏｄｕｌａｔｉｏｎ）または階層構造的な変調（ｈｉｅｒａｒｃｈｉｃａｌ  ｍｏｄｕｌａｔｉｏｎ））を生成するために結合されることができる。ここで、混合信号は、他の接近方法で生成されることができる。例えば、混合シンボルを生成するために最初に結合されても良い。
【００６０】
Ｃｌｏｓｅ＿ＡＴ及びＦａｒ＿ＡＴをスケジューリングするにおいて、ＢＳスケジューラ（またはネットワーク）はＣＱＩを使用することができる。より具体的には、ＢＳスケジューラは、Ｃｌｏｓｅ＿ＡＴをスケジューリングするためにＣｌｏｓｅ＿ＣＱＩを使用することができる。同様に、ＢＳスケジューラはレート制御をスケジューリングするためにＣｌｏｓｅ＿ＣＱＩを使用することができる。ここで、レート制御は、Ｃｌｏｓｅ＿ＡＴに転送するためのデータレートを決定するのに用いられることができる。
【００６１】
Ｆａｒ＿ＡＴをスケジューリングすることと関し、ＢＳスケジューラ（またはネットワーク）は、Ｆａｒ＿ＡＴをスケジューリングし、レート制御をスケジューリングするためにＦａｒ＿ＣＱＩを使用することができる。ここで、レート制御は、Ｆａｒ＿ＡＴに転送するためのデータレートを決定するために用いられることができる。
【００６２】
パケットデータ制御チャネル（Ｐａｃｋｅｔ  ｄａｔａ  ｃｏｎｔｒｏｌ  ｃｈａｎｎｅｌ；以下、‘ＰＤＣＣＨ’という。）に関し、Ｃｌｏｓｅ＿ＰＤＣＣＨ及びＦａｒ＿ＰＤＣＣＨが定義されることができる。ＰＤＣＣＨは、関連されたＰＤＣＣＨで用いられたレート、変調及びコーディング技法だけでなく、スケジューリングされたＡＴ（ＭＡＣ＿ＩＤ）を示すのに用いられることができる。ここで、Ｃｌｏｓｅ＿ＰＤＣＣＨは、Ｃｌｏｓｅ＿ＰＤＣＣＨのための制御情報を伝達することができる。同様に、Ｆａｒ＿ＰＤＣＣＨは、Ｆａｒ＿ＰＤＣＣＨのための制御情報を転送することができる。
【００６３】
なお、ＳＰＣは、Ｃｌｏｓｅ＿ＰＤＣＣＨ及びＦａｒ＿ＰＤＣＣＨに適用されることができる。この場合、同一資源またはチャネル化コードがＣｌｏｓｅ＿ＰＤＣＣＨ及びＦａｒ＿ＰＤＣＣＨにより使用されたり共有されることができる。しかし、ＳＰＣを適用しないことも可能である。すなわち、分離されたりまたは独立したチャネル化コードがＣｌｏｓｅ＿ＰＤＣＣＨ及びＦａｒ＿ＰＤＣＣＨにより使用されることができる。
【００６４】
また、ＰＤＣＣＨは、階層番号を示すフィールドを含むことができる。階層番号は、ＳＰＣ場合に適用されることができる。例えば、ＳＰＣが二つの階層であれば、１ビットフィールドは、ＰＤＣＣＨがＣｌｏｓｅ＿ＰＤＣＣＨなのかＦａｒ＿ＰＤＣＣＨなのかを示す。また、より多くの階層が用いられたり必要となる場合、上記フィールドはより多くのビット（すなわち、３、４階層のための２ビット）を使用することができる。
【００６５】
階層番号を示すためのフィールドを使用するにおいて、ＰＤＣＣＨは動的電力レベル調節が要求されると、転送電力レベルを示すフィールドを含むことができる。例えば、ＳＰＣのための二つの階層が使用されると、Ｃｌｏｓｅ＿ＰＤＣＣＨは近距離信号電力レベルを伝達することができ、Ｆａｒ＿ＰＤＣＣＨは遠距離信号電力レベルを伝達することができる。
【００６６】
また、Ｃｌｏｓｅ＿ＰＤＣＣＨは、近距離及び遠距離電力レベル、近距離電力レベル及び遠距離に対する近距離電力レベルの比率、遠距離電力レベル及び近距離に対する遠距離電力レベルの比、または近距離及び遠距離電力レベルを伝達する他の組合せの一部を伝達することができる。
【００６７】
一方、Ｃｌｏｓｅ＿ＰＤＣＣＨは、近距離及び／または遠距離電力レベルを省略しても良い。例えば、省略（ｏｍｉｓｓｉｏｎ）は、受信端が近距離電力レベル及び遠距離電力レベルが測定できる場合に用いられることができる。
【００６８】
また、ＰＤＣＣＨ内で電力レベルを示すのに用いられるビットの個数は減らすことができる。このため、階層番号は転送電力レベルを示すのに用いられることができる。例えば、階層番号がＦａｒ＿ＰＤＣＣＨを示すのに用いられると、これは最上位ビット（ｍｏｓｔ  ｓｉｇｎｉｆｉｃａｎｔ  ｂｉｔ；ＭＳＢ）のように、電力レベルが高いということを示す。この場合、電力レベルビットは、より詳細な量子化レベルで高い電力を示すのに用いられることができる。同様に、例えば、階層番号はＣｌｏｓｅ＿ＰＤＣＣＨを示すのに用いられ、これは、ＭＳＢのように、電力レベルが小さいということを示す。この場合、電力レベルビットはより詳細な量子化レベルで高い電力を示すのに用いられることができる。動作において、階層番号の電力レベルへのマッピングは、予め設定されたり（すなわち、ＡＴで基本値に設定）または構成されることができる。
【００６９】
論議の通り、フィールドはＣｌｏｓｅ＿ＡＴ及びＦａｒ＿ＡＴのための階層番号及び転送電力レベルのような様々な情報を示すのに用いられることができる。しかし、近距離電力レベル及び遠距離電力レベルが固定されると、これらの領域は省かれても良い。
【００７０】
Ｃｌｏｓｅ＿ＡＴ及びＦａｒ＿ＡＴをスケジューリングするにおいて、Ｃｌｏｓｅ＿ＡＴはＣｌｏｓｅ＿ＰＤＣＣＨまたはＦａｒ＿ＰＤＣＣＨ（及びＣｌｏｓｅ＿ＰＤＣＨまたはＦａｒ＿ＰＤＣＨ）上でスケジューリングされることができる。また、Ｆａｒ＿ＡＴはＦａｒ＿ＰＤＣＣＨ及びＦａｒ＿ＰＤＣＨ上でスケジューリングされることができる。上記の議論は、ＳＰＣをＯＦＤＭタイプシステムに適用した例であり、下記の議論は、ＳＰＣをＨＳＤＰＡシステムに適用した例に関する。
【００７１】
ＳＰＣは、高速ダウンリング共有チャネル（Ｈｉｇｈ  ｓｐｅｅｄ  ｄｏｗｎｌｉｎｋ  ｓｈａｒｅｄ  ｃｈａｎｎｅｌ；以下、‘ＨＳ−ＤＳＣＨ’という。）のそれぞれに適用されることができる。各ＨＳ−ＤＳＣＨは、長さ１６のウォルシュコードの構成可能な番号（ｃｏｎｆｉｇｕｒａｂｌｅ  ｎｕｍｂｅｒ）を使用する。より具体的には、Ｃｌｏｓｅ＿ＡＴに対するシンボル及びＦａｒ＿ＡＴに対するシンボルは、長さ１６のウォルシュコードに適用されることができる。結果として、Ｃｌｏｓｅ＿ＡＴに対する転送はＣｌｏｓｅ＿ＨＳ＿ＤＳＣＨを通じて可能であり、Ｆａｒ＿ＨＳ＿ＤＳＣＨを通じてはＦａｒ＿ＡＴへの転送が可能である。
【００７２】
ＳＰＣが高速共有制御チャネル（Ｈｉｇｈ  ｓｐｅｅｄ  ｓｈａｒｅｄ  ｃｏｎｔｒｏｌ；以下、‘ＨＳ−ＳＣＣＨ’という。）に適用されることが可能である。ここで、Ｃｌｏｓｅ＿ＡＴに対するシンボル及びＦａｒ＿ＡＴに対するシンボルは、ＨＳ−ＳＣＣＨを伝達するのに用いられるウォルシュコードに適用されることができる。結果として、Ｃｌｏｓｅ＿ＡＴに対する転送はＣｌｏｓｅ＿ＨＳ−ＳＣＣＨを通じてでき、Ｆａｒ＿ＡＴに対する転送はＦａｒ＿ＨＳ−ＳＣＣＨを通じてできる。
【００７３】
好ましくは、分離され且つ区別されるウォルシュコードは、Ｃｌｏｓｅ＿ＨＳ−ＳＣＣＨ及びＦａｒ＿ＨＳ−ＳＣＣＨを伝達するために割り当てられることができる。ここで、Ｆａｒ＿ＨＳ−ＳＣＣＨは、存在するＨＳ−ＳＣＣＨを再使用でき、Ｃｌｏｓｅ＿ＨＳ−ＳＣＣＨは新しいウォルシュコードを使用することができる。
【００７４】
電力レベルに関し、Ｃｌｏｓｅ＿ＨＳ−ＤＳＣＨは、近距離電力レベルに設定されることができ、Ｆａｒ＿ＨＳ−ＤＳＣＨは遠距離電力レベルに設定されることができる。
【００７５】
新しいＨＳ−ＳＣＣＨは、階層番号を示すフィールドを含むことができる。階層番号は、ＳＰＣの場合に適用されることができる。例えば、ＳＰＣが２階層であれば、１ビットフィールドがＨＳ＿ＳＣＣＨがＣｌｏｓｅ＿ＨＳ−ＳＣＣＨなのか、またはＦａｒ＿ＨＳ−ＳＣＣＨなのかを示すことができる。また、より多くの階層が用いられたり必要になると、上記フィールドはより多くのビット（すなわち、３または４階層のために２ビット）を使用することができる。
【００７６】
また、ＨＳ−ＳＣＣＨは動的電力レベル調節が要求されると、転送電力レベルを示すフィールドを含むことができる。例えば、ＳＰＣのための２階層が用いられると、Ｃｌｏｓｅ＿ＨＳ−ＳＣＣＨは近距離信号電力レベルを伝達でき、Ｆａｒ＿ＨＳ−ＳＣＣＨは遠距離信号電力レベルを伝達できる。
【００７７】
なお、Ｃｌｏｓｅ＿ＨＳ−ＳＣＣＨは、近距離及び遠距離電力レベル、近距離電力レベル及び遠距離に対する近距離電力レベルの比率、遠距離電力レベル及び近距離に対する遠距離電力レベルの比、または近距離及び遠距離電力レベルを伝達する他の組合せの一部を伝達できる。
【００７８】
一方、Ｃｌｏｓｅ＿ＨＳ−ＳＣＣＨは、近距離及び／または遠距離電力レベルを省略しても良い。例えば、この省略は、受信端が近距離電力レベル及び遠距離電力レベルを測定できる場合に用いられることができる。
【００７９】
また、ＨＳ−ＳＣＣＨで電力レベルを示すのに用いられるビットの数は減らすことができる。このため、階層番号が転送電力レベルを示すのに用いられることができる。例えば、階層番号がＦａｒ＿ＨＳ−ＳＣＣＨを示すのに用いられると、これは、ＭＳＢのように、電力レベルが高いということを示す。この場合、電力レベルビットがより詳細な量子化レベルで高い電力を示すのに用いられることができる。同様に、例えば、階層番号はＣｌｏｓｅ＿ＨＳ−ＳＣＣＨを示すのに用いられ、これは、ＭＳＢのように、電力レベルが小さいということを示す。この場合に、電力レベルビットがより詳細な量子化レベルで高い電力を示すのに用いられることができる。動作においては、階層番号の電力レベルへのマッピングは、予め設定（すなわち、ＡＴで基本値に設定）されたり、構成されることができる。
【００８０】
論議の通り、フィールドは、Ｃｌｏｓｅ＿ＡＴ及びＦａｒ＿ＡＴに対する階層番号及び転送電力レベルのような様々な情報を示すのに用いられることができる。しかし、近距離電力レベル及び遠距離電力レベルが固定されると、このようなフィールドは省かれても良い。
【００８１】
Ｃｌｏｓｅ＿ＡＴ及びＦａｒ＿ＡＴをスケジューリングするにおいて、Ｃｌｏｓｅ＿ＡＴは、Ｃｌｏｓｅ＿ＨＳ−ＳＣＣＨまたはＦａｒ＿ＨＳ−ＳＣＣＨ（及びＣｌｏｓｅ＿ＨＳ−ＤＳＣＨまたはＦａｒ＿ＨＳ−ＤＳＣＨ）上にスケジューリングされることができる。この場合、Ｃｌｏｓｅ＿ＡＴはＨＳ−ＳＣＣＨを全て検出する必要がある。また、Ｆａｒ＿ＡＴはＦａｒ＿ＨＳ−ＳＣＣＨ及びＦａｒ＿ＨＳ−ＤＳＣＨ上でスケジューリングされることができる。
【産業上の利用可能性】
【００８２】
本技術分野に熟練した者にとっては、本発明の本質や範囲を逸脱しない限度内で本発明の様々な修正や変動ができるということは明らかである。したがって、添付の特許請求の範囲及びその均等範囲に符合すると、かかる様々な修正や変動も本発明に含まれる。
【図面の簡単な説明】
【００８３】
【図１】セルラーシステム内でサービングＢＳの近くに及び遠くに位置するＡＴを示す例示図である。
【図２】各階層のためにＱＰＳＫを用いる階層構造的（ｈｉｅｒａｒｃｈｉａｌ）または階層的（ｌａｙｅｒｅｄ）な変調を示す例示図である。
【図３】階層的であるか重畳された（複数の）信号の最大化を示す例示図である。
【図４】Ｃｌｏｓｅ＿ＡＴ及びＦａｒ＿ＡＴ両者ともＱＰＳＫ変調を用いる階層構造的または階層的な変調を示す例示図である。
【図５】重畳変調または階層的な変調を示す例示図である。
【図１】
2009545193.tif 000003
【図２】
2009545193.tif 000004
【図３】
2009545193.tif 000005
【図４】
2009545193.tif 000006
【図５】
2009545193.tif 000007